(57)【特許請求の範囲】
【請求項１】
光を発生させる光発生ユニットと、該光発生ユニットを収納する収納容器と、前記収納容器の縁部に沿って配置されるモールドフレームとを含むバックライトアセンブリと、
前記モールドフレーム上に配置装着され、光を用いて画像を表示する表示パネルと、
前記表示パネルの縁部をカバーし、かつ、前記収納容器と結合して前記表示パネルを固定させるトップシャーシと、
前記表示パネルの端部を囲むように前記モールドフレームと前記トップシャーシとの間に配置され、前記表示パネルの端部と前記モールドフレームとの間の空間を完全に密封する、形状が容易に変わる弾性、電気が通じない絶縁性、及び外部の微細ほこりのような異物に対する吸着力を有する密封部材と、
前記トップシャーシの一部であるシャーシカバー部の下面と前記表示パネルの上面の両方に直接接触する導電体を含むパネル加圧部を有し、
前記モールドフレームは、前記収納容器と向い合う前記表示パネルの下面と平行に形成され、前記表示パネルを支持するモールド底面部と、
前記モールド底面部から延長して前記表示パネルの端部と向い合うモールド側部とを含み、
前記密封部材は、前記表示パネルの端部と前記モールド側部との間の空間を完全に密封することを特徴とする表示装置。
【請求項２】
前記密封部材は、前記表示パネルの端部及び前記表示パネルの下面の縁部と接触することを特徴とする請求項１に記載の表示装置。
【請求項３】
前記密封部材は、前記表示パネルの端部及び前記表示パネルの上面の縁部と接触することを特徴とする請求項１に記載の表示装置。
【請求項４】
前記密封部材は、前記表示パネルの端部、前記表示パネルの下面の縁部、及び前記表示パネルの上面の縁部と接触し、前記表示パネルの端部は、前記表示パネルの上面の縁部と下面の縁部との間に直接的に隣接していることを特徴とする請求項１に記載の表示装置。
【請求項５】
前記密封部材は、前記表示パネルの端部及び前記表示パネルの下面の縁部と接触する下側密封部と、
前記表示パネルの端部及び前記表示パネルの上面の縁部と接触する上側密封部とを含むことを特徴とする請求項４に記載の表示装置。
【請求項６】
前記下側密封部は、前記モールド底面部と前記表示パネルの下面との間の空間を密封し、
前記上側密封部は、前記トップシャーシと前記表示パネルの上面との間の空間を密封することを特徴とする請求項５に記載の表示装置。
【請求項７】
前記密封部材は、シリコン系の物質を含むことを特徴とする請求項１に記載の表示装置。
【請求項８】
前記密封部材は、高弾性を有する合成樹脂を含むことを特徴とする請求項１に記載の表示装置。
【発明の詳細な説明】
【技術分野】
【０００１】
本発明は、表示装置に関し、より詳細には異物の流入を防止することのできる液晶表示装置に関する。
【背景技術】
【０００２】
一般的に、液晶表示装置は、光を用いて画像を表示する液晶表示パネル及び液晶表示パネルの下部に配置され、液晶表示パネルに光を提供するバックライトアセンブリを含む。
【０００３】
液晶表示パネルは、薄膜トランジスタ及び薄膜トランジスタと電気的に接続された画素電極を具備する第１基板、画素電極と対応するカラーフィルタ及び基板上に形成された共通電極を具備する第２基板、及び第１基板と第２基板との間に介在する液晶層を含む。
【０００４】
バックライトアセンブリは、光を発生させる光発生ユニット、光発生ユニットを収納する収納容器、及び収納容器の縁部に沿って配置されて液晶表示パネルを支持するモールドフレームを含む。
【０００５】
液晶表示装置は、液晶表示パネルの縁部をカバーし、かつ、収納容器と結合して液晶表示パネルを固定させるトップシャーシを更に含む。
【０００６】
一方、液晶表示装置は屋内に配置されて画像を表示することが一般的であるが、最近は屋外に配置されて画像を表示することも多い。すなわち、液晶表示装置が微細なほこりのような異物が多く存在する屋外に配置する場合がある。
【０００７】
よって、液晶表示装置が屋外に配置される場合、異物はモールドフレームとトップシャーシとの間の空間に通じて収納容器内に入るおそれがある。収納容器内に入った異物は画像の表示品質を低下させるという問題がある。
【発明の概要】
【発明が解決しようとする課題】
【０００８】
そこで、本発明は上記従来の液晶表示装置における問題点に鑑みてなされたものであって、本発明の目的は、異物が内部に入ることを防止することのできる表示装置を提供することにある。
【課題を解決するための手段】
【０００９】
上記目的を達成するためになされた本発明による表示装置は、光を発生させる光発生ユニットと、該光発生ユニットを収納する収納容器と、前記収納容器の縁部に沿って配置されるモールドフレームとを含むバックライトアセンブリと、前記モールドフレーム上に配置装着され、光を用いて画像を表示する表示パネルと、前記表示パネルの縁部をカバーし、かつ、前記収納容器と結合して前記表示パネルを固定させるトップシャーシと、前記表示パネルの端部を囲むように前記モールドフレームと前記トップシャーシとの間に配置され、前記表示パネルの端部と前記モールドフレームとの間の空間を完全に密封する、形状が容易に変わる弾性、電気が通じない絶縁性、及び外部の微細ほこりのような異物に対する吸着力を有する密封部材と、前記トップシャーシの一部であるシャーシカバー部の下面と前記表示パネルの上面の両方に直接接触する導電体を含むパネル加圧部を有し、前記モールドフレームは、前記収納容器と向い合う前記表示パネルの下面と平行に形成され、前記表示パネルを支持するモールド底面部と、前記モールド底面部から延長して前記表示パネルの端部と向い合うモールド側部とを含み、前記密封部材は、前記表示パネルの端部と前記モールド側部との間の空間を完全に密封することを特徴とする。
【００１１】
前記密封部材は、前記表示パネルの端部及び前記表示パネルの下面の縁部と接触することが好ましい。
前記密封部材は、前記表示パネルの端部及び前記表示パネルの上面の縁部と接触することが好ましい。
前記密封部材は、前記表示パネルの端部、前記表示パネルの下面の縁部、及び前記表示パネルの上面の縁部と接触し、前記表示パネルの端部は、前記表示パネルの上面の縁部と下面の縁部との間に直接的に隣接していることが好ましい。
【００１２】
前記密封部材は、前記表示パネルの端部及び前記表示パネルの下面の縁部と接触する下側密封部と、前記表示パネルの端部及び前記表示パネルの上面の縁部と接触する上側密封部とを含むことが好ましい。
前記下側密封部は、前記モールド底面部と前記表示パネルの下面との間の空間を密封し、前記上側密封部は、前記トップシャーシと前記表示パネルの上面との間の空間を密封することが好ましい。
【００１３】
前記密封部材は、シリコン系の物質を含むことが好ましい。
前記密封部材は、高弾性を有する合成樹脂を含むことが好ましい。
【発明の効果】
【００１４】
本発明に係る表示装置によれば、密封部材が表示パネルの端部を囲むようにモールドフレームとトップシャーシとの間に配置され、表示パネルの端部とモールド側部との空間を完全に密封することによって、外部からの微細ほこりのような異物がモールドフレームとトップシャーシとの間に入ってくることを防止することができるという効果がある。
それによって、異物流入による表示装置の表示品質が低下することを防止することができるという効果がある。
【図面の簡単な説明】
【００１５】
【図１】本発明の第１の実施形態による表示装置を示した斜視図である。
【図２】図１のＩ−Ｉ’線に沿って見た断面図である。
【図３】図２のＡ部分を拡大して示した断面図である。
【図４】図２の表示装置を製造する工程を説明するための断面図である。
【図５】本発明の第２の実施形態による表示装置のうちの一部分を示した断面図である。
【図６】図５の表示装置を製造する工程を説明するための断面図である。
【図７】本発明の第３の実施形態による表示装置のうちの一部分を示した断面図である。
【図８】図７の表示装置を製造する工程を説明するための断面図である。
【図９】本発明の第４の実施形態による表示装置のうちの一部分を示した断面図である。
【図１０】図９の表示装置を製造する工程を説明するための断面図である。
【発明を実施するための形態】
【００１６】
次に、本発明に係る表示装置を実施するための形態の具体例を図面を参照しながら説明する。
【００１７】
本発明は多様に変更することができ、多様な形態を有することができるところ、特定の実施形態を図面に例示して本文に詳細に説明する。しかし、これは、本発明を特定の開示形態に限定するのではなく、本発明の思想及び技術範囲に含まれる全ての変更、均等物、ないし代替物を含むことと理解すべきである。
各図面を説明においては類似の構成要素に対しては類似の参照符号を付与した。添付した図面において、構造物の寸法は本発明の明確性のために実際より拡大して示した。
第１、第２等の用語は、多様な構成要素を説明するために使用することができるが、構成要素はこれら用語によって限定されてはいけない。用語は一つの構成要素を他の構成要素から区別する目的としてのみ使用される。例えば、本発明の権利範囲から外れないとともに第１構成要素は第２構成要素に命名することができ、類似に第２構成要素も第１構成要素に命名することができる。単数の表現は、文脈上、明白に異なるように意味しない限り、複数の表現を含む。
本出願において、「含む」または「有する」等の用語は、明細書上に記載された特徴、数字、段階、動作、構成要素、部分品、又はこれらを組み合わせたものが存在することを指定しようとすることで、一つまたはそれ以上の他の特徴や数字、段階、動作、構成要素、部分品、又はこれらを組み合わせたもの等の存在または付加可能性を予め排除しないことと理解すべきである。
なお、異なるものとして定義しない限り、技術的であるか科学的な用語を含めてここで用いられる全ての用語は、本発明が属する技術分野において通常の知識を有する者によって一般的に理解されるものと同一の意味を有している。一般的に用いられる辞典に定義されているもののような用語は、関連技術の文脈上で有する意味と一致する意味を有することと解釈すべきであり、本出願で明白に定義されない限り、異常的に、あるいは過度に形式的な意味に解釈されない。
【００１８】
図１は、本発明の第１の実施形態による表示装置を示した斜視図であり、図２は、図１のＩ−Ｉ’線に沿って見た断面図であり、図３は、図２のＡ部分を拡大して示した断面図である。
図１、図２、及び図３を参照すると、本実施形態による表示装置（ＤＤ）は、バックライトアセンブリ１００、表示パネル３００、トップシャーシ４００、及び密封部材５００を含む。
【００１９】
バックライトアセンブリ１００は、光を発生させて表示パネル３００に提供する。バックライトアセンブリ１００は、収納容器１１０、光発生ユニット１２０、及びモールドフレーム２００を含む。本実施形態で、バックライトアセンブリ１００は、サイドモールド１３０、反射シート１４０、及び光学部材１５０を更に含む。
【００２０】
収納容器１１０は、プレート形状を有する収納底面部１１２及び収納底面部１１２の端部から延長された収納側部１１４を含む。収納容器１１０は光発生ユニット１２０、サイドモールド１３０、反射シート１４０、及び光学部材１５０を収納する。収納容器１１０は、例えば、ボトムシャーシであってもよい。
【００２１】
光発生ユニット１２０は、収納容器１１０内に収納されて光を発生させる。光発生ユニット１２０は、例えば、棒形状またはＵ字形状を有する冷陰極蛍光ランプ（ＣＣＦＬ）であってもよい。これとは違って、光発生ユニット１２０は、点形態の光を発生させる発光ダイオード（ＬＥＤ）であってもよい。
【００２２】
サイドモールド１３０は、収納容器１１０内に収納され、収納側部１１４と隣接する位置に配置される。サイドモールド１３０は、例えば、Ｕ字形状を有し、サイドモールド１３０の一部、例えば、垂直部は、収納側部１１４と実質的に平行に配置される。
図２に示すように、サイドモールド１３０の上端部は、収納底面部１１２と実質的に平行に形成され、サイドモールド１３０の傾斜部は、収納底面部１１２に対して収納側部１１４方向に傾くように形成される。サイドモールドの傾斜部は、サイドモールド１３０の実質的な水平部から収納底面部１１２に向かって延長される。サイドモールド１３０の垂直部の末端部と傾斜部は、収納底面部１１２の上面と実質的に同一の平面上に位置するようにする。
【００２３】
反射シート１４０は、収納底面部１１２上に配置され、収納底面部１１２の上面と直接的に接触する。反射シート１４０は、光発生ユニット１２０で発生した光のうち、収納底面部１１２に向かう光を反射させて表示パネル３００に提供する。
図２に示すように、反射シート１４０は、サイドモールド１３０の傾斜部上にも配置することができる。反射シート１４０は、サイドモールド１３０の傾斜部の一部またはすべてと重なってもよい。あるいは、サイドモールド１３０及び／または収納容器１１０を、反射物質を含んで形成することも可能であり、また、収納容器１１０の一部を反射物質で形成することもできる。反射収納容器の結果物は、単一体であり、連続的であり、かつ分割不可能であるユニットである。
【００２４】
光学部材１５０は、光発生ユニット１２０の上部に配置され、光発生ユニット１２０で発生した光の光学特性を向上させる。光学部材１５０は、サイドモールド１３０の上端部上に装着してもよい。
図２に示すように、光学部材１５０の周辺縁部は、サイドモールド１３０の最上側面に直接接触するよう配置してもよい。サイドモールド１３０の最上側面は、収納容器１１０の収納底面部１１２と実質的に平行である。光学部材１５０は、例えば、光を拡散させる拡散板１５２、及び光の正面輝度を増加させることができるプリズムシート（１５４、１５６）を含むことができる。
【００２５】
モールドフレーム２００は、収納容器１１０の縁部に沿って収納容器１１０の上部に配置され、収納容器１１０の収納側部１１４と直接隣接してもよい。モールドフレーム２００は、モールド底面部２１０及びモールド側部２２０を含む。モールド底面部２１０は、収納底面部１１２と実質的に平行する方向に延長するよう形成する。モールド側部２２０は、モールド底面部２１０の端部から収納容器１１０の反対側に延長して形成する。
図２に示すように、モールド側部２２０は、収納容器１１０の収納側部１１４と実質的に平行に配置され、モールド側部２２０の外側面とトップシャーシ４００と隣接する収納側部１１４は、互いに実質的に同一の平面上に配置する。
【００２６】
モールドフレーム２００は、モールド底面部２１０から突出した第１突出部２３０、第２突出部２４０、及び第３突出部２５０を更に含むことができる。
第１突出部２３０は、モールド底面部２１０から収納容器１１０に向かって突出し、収納底面部１１２と接してもよい。第１突出部２３０は、サイドモールド１３０と収納側部１１４との間に配置され、収納側部１１４及び／またはサイドモールド１３０の垂直部と実質的に平行に配置される。第１突出部２３０は、収納容器１１０の収納側部１１４とサイドモールド１３０の垂直部との間に直接隣接して配置することもできる。
【００２７】
第２突出部２４０は、モールド底面部２１０から収納容器１１０に向かって突出し、光学部材１５０と接する。第２突出部２４０は、光学部材１５０のうち、サイドモールド１３０の上端面に装着された部分を加圧することによって、光学部材１５０を固定させる役割をする。
【００２８】
第３突出部２５０は、モールド底面部２１０から収納容器１１０に向かって突出して形成され、モールド側部２２０とは反対側に配置される。第３突出部２５０も第２突出部２４０と同様に光学部材１５０と接してもよい。
【００２９】
第１〜第３突出部（２３０、２４０、２５０）は、互いに実質的に平行に配置され、モールド側部２２０と実質的に平行である。第１突出部２３０は、第２突出部２４０及び第３突出部２５０より長くモールド底面部２１０から延長される。第２及び第３突出部（２４０、２５０）の終端は、同一の平面上に配置される。図２に示すように、第１〜第３突出部（２３０、２４０、２５０）は、表示装置（ＤＤ）の外側部から内側部に向かってこの順序で順次に配置されうる。
【００３０】
表示パネル３００は、バックライトアセンブリ１００の上部に配置され、バックライトアセンブリ１００で発生した光を用いて画像を表示する。表示パネル３００は、例えば、第１基板３１０、第１基板３１０と対向する第２基板３２０、及び第１基板３１０と第２基板３２０との間に介在する液晶層（図示せず）を含むことができる。
【００３１】
第１基板３１０は、信号線（図示せず）、信号線と電気的に接続された薄膜トランジスタ（図示せず）、及び薄膜トランジスタと電気的に接続される画素電極（図示せず）を含むことができる。第２基板３２０は、画素電極と対応する位置に配置されたカラーフィルタ（図示せず）及び基板上に形成される共通電極（図示せず）を含むことができる。液晶層の光透過率は、画素電極と共通電極との間に形成された電場によって変更することができる。
【００３２】
表示パネル３００は、モールド底面部２１０上に装着される。表示パネル３００は、モールド底面部２１０と実質的に平行に配置する。表示パネル３００の端部は、モールド側部２２０と向い合うように隣接して配置される。図２に示すように、第１基板３１０と第２基板３２０の終端部は、モールド側部２２０の内側面に向い合う。
【００３３】
一方、本実施形態による表示装置（ＤＤ）は、表示パネル３００とモールド底面部２１０との間に配置されたパネル支持部２１２を更に含むことができる。パネル支持部２１２は、表示パネル３００の下側面とモールドフレーム２００の上側面との両方に接触する。
【００３４】
パネル支持部２１２は、モールド底面部２１０上に付着して表示パネル３００を支持する。パネル支持部２１２は、表示パネル３００の破損を防止するために弾性を有する物質からなる。例えば、パネル支持部２１２は弾性を有するゴムであってもよい。
【００３５】
トップシャーシ４００は、表示パネル３００の縁部をカバーしかつ収納容器１１０と結合して、表示パネル３００を固定させる。トップシャーシ４００は、シャーシカバー部４１０及びシャーシ側部４２０を含む。
【００３６】
シャーシカバー４１０は、表示パネル３００と実質的に平行する方向に延長され、表示パネル３００の縁部をカバーする。シャーシカバー部４１０は、表示パネル３００の方に向かって少なくとも一度曲げるか、傾かせることが可能である。
【００３７】
シャーシ側部４２０は、シャーシカバー部４１０の端部から収納容器１１０に向かって延長されて形成される。シャーシ側部４２０は、収納側部１１４と結合して表示パネル３００を固定する。シャーシ側部４２０は、モールド側部２２０の外側面とも接しうる。シャーシ側部４２０は、収納容器１１０とモールドフレーム２００の両方に直接隣接する。
【００３８】
また、本実施形態による表示装置（ＤＤ）は、表示パネル３００とシャーシカバー部４１０との間に配置されるパネル加圧部４１２を更に含むことができる。パネル加圧部４１２は、トップシャーシ４００の下側面と表示パネル３００の上側面の両方に直接接触する。
【００３９】
パネル加圧部４１２は、シャーシカバー部４１０上に付着して表示パネル３００を加圧することにより、表示パネル３００は、外部からの衝撃等によるずれ可動などのダメージを減少又は効果的に防止する。又、パネル加圧部４１２は、表示パネル３００の破損を防止するために弾性を有する物質でもよい。本実施形態で、パネル支持部４１２は、加圧本体４１２ａ及び導電体４１２ｂを含むことができる。
【００４０】
加圧本体４１２ａは、シャーシカバー部４１０上に配置され、弾性を有する物質からなる。例えば、加圧本体４１２ａは、弾性を有するスチロフォーム（Ｓｔｙｒｏｆｏａｍ）を含んでもよいが、これに限定するものではない。
【００４１】
導電体４１２ｂは、加圧本体４１２ａの外周辺部に形成され、表示パネル３００の上面とシャーシカバー部４１０を電気的に接続させる。導電体４１２ｂは、加圧本体４１２ａの全面に配置されて加圧本体４１２ａの全面を完全に囲み、密封及び接触する。
導電体４１２ｂは、加圧本体４１２ａ及び表示パネル３００とトップシャーシ４００との間に配置される。導電体４１２ｂは、表示パネル３００で発生した静電気をトップシャーシ４００に伝達し、静電気によって表示パネル３００が悪影響を受けることを防止することができる。例えば、導電体４１２ｂとしては金属繊維を含んでもよい。
【００４２】
密封部材５００は、表示パネル３００の端部（端側面）を囲むようにモールドフレーム２００とトップシャーシ４００との間に配置される。本実施形態で、密封部材５００は、表示パネル３００の端部及びモールド底板部２１０と向い合う表示パネル３００の下面の縁部と接触するように配置される。
【００４３】
密封部材５００は、表示パネル３００の端部とモールド側部２２０との間と、表示パネル３００の下面縁部とモールド底面部２１０との間に配置される。それによって、密封部材５００は、表示パネル３００の端部とモールド側部２２０との間の空間を完全に密封することができ、表示パネル３００の下面の縁部とモールド底面部２１０との空間も完全に密封することができる。
【００４４】
密封部材５００は、形状が容易に変わる弾性と、電気が通じない絶縁性と、外部の微細ほこりのような異物に対する吸着力を有する。例えば、密封部材５００は、接着力を有するシリコン物質を含むか、あるいは高弾性を有する合成樹脂を含むことができる。
【００４５】
このように、密封部材５００が表示パネル３００の端部とモールド側部２２０との間の空間を完全に密封することによって、異物が表示パネル３００の端部とモールド側部２２０との間の空間を経由して収納容器１１０内に入ることを遮断することができる。
【００４６】
本実施形態における表示装置（ＤＤ）は、図２に示すように直下型バックライトアセンブリを具備するような形態で説明したが、これとは違って導光板の側面に配置された光源を含むエッジ型バックライトアセンブリを具備してもよい。
【００４７】
次に、図２に示した本発明の第１の実施形態による表示装置の製造方法を簡単に説明する。
図４は、図２の表示装置を製造する工程を説明するための断面図である。
【００４８】
図４を参照すると、まず、収納容器１１０、光発生ユニット１２０、サイドモールド１３０、反射シート１４０、光学部材１５０、及びモールドフレーム２００を互いに組み立ててバックライトアセンブリ１００を製造する。ここで、パネル支持部２１２は、モールドフレーム２００のモールド底面部２１０上に付着して配置することができる。
【００４９】
次に、モールド底面部２１０上に密封部材５００を形成する。密封部材５００は、モールド底面部２１０上に形成され、モールド側部２２０に沿って上側に突出した形状を有する。
【００５０】
次に、表示パネル３００をモールド底面部２１０上に装着する。表示パネル３００は、弾性を有するパネル支持部２１２によって支持される。
【００５１】
次に、トップシャーシ４００を収納容器１１０と結合して表示パネル３００を固定させる。ここで、パネル加圧部４１２は、シャーシカバー部４１０上（表示パネル３００側）に付着されて表示パネル３００の破損を防止するために弾性を有する。
【００５２】
一方、トップシャーシ４００と収納容器１１０とを結合するとき、密封部材５００が表示パネル３００の端部を囲むよう形を成す。すなわち、密封部材５００は、表示パネル３００の端部とモールド側部２１０との空間と、表示パネル３００の下面の縁部とモールド底面部２１０との間の空間を完全に密封する。
【００５３】
本実施形態によれば、密封部材５００が表示パネル３００の端部とモールド側部２２０との間の空間と、表示パネル３００の下面の縁部とモールド底面部２１０との間の空間を完全に密封することによって、外部からの微細ほこりのような異物が表示パネル３００の端部とモールド側部２２０との間の空間を経由して収納容器１１０内に流入することを遮断することができる。
【００５４】
本発明の第２の実施形態による表示装置は、密封部材を除くと、図１〜図３を参照して説明した第１の実施形態による表示装置と実質的に同一であるので、密封部材を除いた他の構成要素に対する詳細な説明は省略する。
【００５５】
図５は、本発明の第２の実施形態による表示装置のうちの一部分を示した断面図である。
図５を参照すると、本実施形態による密封部材５００は、表示パネル３００の端部を囲むようモールドフレーム２００とトップシャーシ４００との間に配置される。本実施形態で、密封部材５００は、表示パネル３００の端部及びシャーシカバー部４１０と向い合う表示パネル３００の上面の周辺縁部と接触するように配置される。
【００５６】
密封部材５００は、表示パネル３００の端部とモールド側部２２０との間、表示パネル３００の上面の周辺縁部とシャーシカバー部４１０との間に配置される。それによって、密封部材５００は、表示パネル３００の端部とモールド側部２２０との間の空間を完全に密封することができ、表示パネル３００の上面の周辺縁部とシャーシカバー部４１０との間の空間も完全に密封することができる。
【００５７】
密封部材５００は、形状が容易に変わる弾性と、電気が通じない絶縁性とを有し、またさらに外部の微細ほこりのような異物に対する吸着力を有することが好ましい。例えば、密封部材５００は、接着力を有するシリコン物質を含むか、あるいは高弾性を有する合成樹脂を含むことが好ましい。
【００５８】
次に、図５に示した本発明の第２の実施形態による表示装置の製造方法について簡単に説明する。
図６は、図５の表示装置を製造する工程を説明するための断面図である。
【００５９】
図６を参照すると、まず、収納容器１１０、光発生ユニット１２０、サイドモールド１３０、反射シート１４０、光学部材１５０、及びモールドフレーム２００を互いに組み立ててバックライトアセンブリ１００を製造する。ここで、パネル支持部２１２は、モールドフレーム２００のモールド底面部２１０上に付着して配置してもよい。
【００６０】
次に、シャーシカバー部４１０上（表示パネル３００側）に密封部材５００を形成する。密封部材５００は、シャーシカバー部４１０の内側に形成され、シャーシ側部４２０に沿って下側に突出した形状を有する。
【００６１】
次に、表示パネル３００をモールド底面部２１０上に装着させる。表示パネル３００は、弾性を有するパネル支持部２１２によって支持される。
【００６２】
次に、トップシャーシ４００を収納容器１１０と結合して表示パネル３００を固定させる。ここで、パネル加圧部４１２は、シャーシカバー部４１０上（表示パネル３００側）に付着されて表示パネル３００を加圧し、それによって表示パネル３００が外部からの衝撃によって可動することを防止する。
【００６３】
一方、トップシャーシ４００と収納容器１１０とを結合するとき、密封部材５００が表示パネル３００の端部を囲むよう形を成す。すなわち、密封部材５００は、表示パネル３０の端部とモールド側部２２０との間の空間と、表示パネル３００の上面の縁部とシャーシカバー部４１０との間の空間を完全に密封する。
【００６４】
本実施形態によれば、密封部材５００が表示パネル３００の端部とモールド側部２２０との間の空間と、表示パネル３００の上面の縁部とシャーシカバー部４１０との間の空間を完全に密封することによって、外部からの微細ほこりのような異物が表示パネル３００の端部とモールド側部２２０との間の空間を経由して収納容器１１０内に流入することを遮断することができる。
【００６５】
本発明の第３の実施形態による表示装置は、密封部材を除くと、図１〜図３で説明した第１の実施形態による表示装置と実質的に同一であるので、密封部材を除いた他の構成要素についての詳細な説明は省略する。
【００６６】
図７は、本発明の第３の実施形態による表示装置のうちの一部分を示した断面図である。
図７を参照すると、本実施形態による密封部材５００は、表示パネル３００の端部を囲むようモールドフレーム２００とトップシャーシ４００との間に配置される。本実施形態で、密封部材５００は、下側密封部５１０及び上側密封部５２０を含む。
【００６７】
下側密封部５１０は、表示パネル３００の端部及びモールド底面部２１０と向い合う表示パネル３００の下面の縁部と接触するように配置される。上側密封部５２０は、下側密封部５１０と向い合うように配置され、表示パネル３００の端部及びシャーシカバー部４１０と向い合う表示パネル３００の上面の縁部と接触するように配置される。下側密封部５１０及び上側密封部５２０は互いに接触することで一体化する。
【００６８】
下側密封部５１０は、表示パネル３００の端部とモールド側部２２０との間と、表示パネル３００の下面とモールド底面部２１０との間に配置される。それによって、下側密封部５１０は、表示パネル３００の端部とモールド側部２２０との間の空間の下側部位を完全に密封することができ、表示パネル３００の下面の縁部とモールド底面部２１０との間の空間を完全に密封することができる。
【００６９】
上側密封部５２０は、表示パネル３００の端部とモールド側部２２０との間と、表示パネル３００の上面の縁部とシャーシカバー部４１０との間に配置される。それによって、上側密封部５２０は、表示パネル３００の端部とモールド側部２２０との間の空間の上側部位を完全に密封することができ、表示パネル３００の上面の縁部とシャーシカバー部４１０との間の空間を完全に密封することができる。
【００７０】
密封部材５００は、形状が容易に変わる弾性と、電気の通じない絶縁性とを有し、またさらに外部の微細ほこりのような異物に対する吸着力を有することが好ましい。例えば、密封部材５００は、接着力を有するシリコン物質を含むか、あるいは高弾性を有する合成樹脂を含むことが好ましい。
【００７１】
次に、図７に示した本発明の第３の実施形態による表示装置の製造方法について簡単に説明する。
図８は、図７の表示装置を製造する工程を説明するための断面図である。
【００７２】
図８を参照すると、まず、収納容器１１０、光発生ユニット１２０、サイドモールド１３０、反射シート１４０、光学部材１５０、及びモールドフレーム２００を互いに組み立ててバックライトアセンブリ１００を製造する。ここで、パネル支持部２１２は、モールドフレーム２００のモールド底面部２１０上に付着して配置することができる。
【００７３】
次に、モールド底面部２１０及びシャーシカバー部４１０上に密封部材５００を形成する。すなわち、モールド底面部２１０上に下側密封部５１０を形成し、シャーシカバー部４１０の内側面上に上側密封部５２０を形成する。
【００７４】
次に、表示パネル３００をモールド底面部２１０上に装着させる。表示パネル３００は、弾性を有するパネル支持部２１２によって支持される。
【００７５】
次に、トップシャーシ４００を収納容器１１０と結合して表示パネル３００を固定させる。ここで、パネル加圧部４１２は、シャーシカバー部４１０上（表示パネル３００側）に付着されて表示パネル３００を加圧し、それによって表示パネル３００が外部からの衝撃によって可動することを防止する。
【００７６】
一方、トップシャーシ４００と収納容器１１０とが結合されるとき、下側及び上側密封部（５１０、５２０）は、表示パネル３００の端部を囲むよう形を成す。すなわち、下側密封部５１０は、表示パネル３００の端部とモールド側部２２０との間の空間の下側部位と、表示パネル３００の下面の縁部とモールド底面部２１０との間の空間を完全に密封することができる。また、上側密封部５２０は、表示パネル３００の端部とモールド側部２２０との間の空間の上側部位と、表示パネル３００の上面の縁部とシャーシカバー部４１０との間の空間を完全に密封することができる。
【００７７】
本実施形態によれば、密封部材５００が表示パネル３００の端部とモールド側部２２０との間の空間と、表示パネル３００の下面の縁部とモールド底面部２１０との間の空間と、表示パネル３００の上面の縁部とシャーシカバー部４１０との間の空間を完全に密封することによって、外部からの微細ほこりのような異物が表示パネル３００の端部とモールド側部２２０との間の空間を経由して収納容器１１０内に流入することを遮断することができる。
【００７８】
本発明の第４の実施形態による表示装置は、密封部材を除くと、図１〜図３で説明した第１の実施形態による表示装置と実質的に同一であるので、密封部材を除いた他の構成要素についての詳細な説明は省略する。
【００７９】
図９は、本発明の第４の実施形態による表示装置のうちの一部分を示した断面図である。
図９を参照すると、本実施形態による密封部材５００は、表示パネル３００の端部を囲むようモールドフレーム２００とトップシャーシ４００との間に配置される。本実施形態では、密封部材５００は、表示パネル３００の端部及びシャーシカバー部４１０と向い合う表示パネル３００の上面の縁部と接触するように配置される。
【００８０】
密封部材５００は、表示パネル３００の端部とモールド側部２２０との間に配置され、それによって表示パネル３００の端部とモールド側部２２０との間の空間を完全に密封することができる。
【００８１】
密封部材５００は、表示パネル３００の上面の縁部とシャーシカバー部４１０との間にも配置してもよく、それによって表示パネル３００の上面の縁部とシャーシカバー部４１０との間の空間も完全に密封することができる。
【００８２】
密封部材５００は、形状が容易に変わる弾性と、電気の通じない絶縁性とを有し、またさらに外部の微細ほこりのような異物に対する吸着力を有することが好ましい。例えば、密封部材５００は、接着力を有するシリコン物質を含むか、あるいは高弾性を有する合成樹脂を含むことが好ましい。
【００８３】
次に、図９に示した本発明の第３の実施形態による表示装置の製造方法について簡単に説明する。
図１０は、図９の表示装置を製造する工程を説明するための断面図である。
【００８４】
図１０を参照すると、まず、収納容器１１０、光発生ユニット１２０、サイドモールド１３０、反射シート１４０、光学部材１５０、及びモールドフレーム２００を互いに組み立ててバックライトアセンブリ１００を製造する。ここで、パネル支持部２１２は、モールドフレーム２００のモールド底面部２１０上に付着して配置することができる。
【００８５】
次に、表示パネル３００をモールド底面部２１０上に装着させる。表示パネル３００は、弾性を有するパネル支持部２１２によって支持される。
【００８６】
次に、表示パネル３００の端部を囲むよう密封部材５００を形成する。例えば、表示パネル３００の端部とモール側部２２０との間の空間が密封されるよう密封液体を吹きつけ、その後、密封液体を硬化させることのより密封部材５００を形成することができる。密封液体は、表示パネル３００の上面の縁部までカバーするように吹きつけてもよい。ここで、密封液体は、表示パネル３００及びモールドフレーム２００に容易に付着しうる接着力を有するものが好ましい。
【００８７】
次に、トップシャーシ４００を収納容器１１０と結合して表示パネル３００を固定させる。ここで、パネル加圧部４１２は、シャーシカバー部４１０上（表示パネル３００側）に付着されて表示パネル３００を加圧し、それによって表示パネル３００は、外部からの衝撃によって可動することを防止する。
【００８８】
一方、トップシャーシ４００と収納容器１１０とを結合するとき、密封部材５００は、表示パネル３００の端部とモールド側部２２０との間の空間のみならず表示パネル３００の上面の縁部とシャーシカバー部４１０との間の空間までも完全に密封することができる。
【００８９】
本実施形態によれば、密封部材５００が表示パネル３００の端部とモールド側部２２０との間の空間と、表示パネル３００の上面の縁部とシャーシカバー部４１０との間の空間を完全に密封することによって、外部からの微細ほこりのような異物が表示パネル３００の端部とモールド側部２２０との間の空間を経由して収納容器１１０内に流入することを遮断することができる。
【００９０】
尚、本発明は、上述の実施形態に限られるものではない。本発明の技術的範囲から逸脱しない範囲内で多様に変更実施することが可能である。
【符号の説明】
【００９１】
ＤＤ      表示装置
１００      バックライトアセンブリ
１１０      収納容器
１２０      光発生ユニット
１３０      サイドモールド
１４０      反射シート
１５０      光学部材
１５２      拡散板
１５４、１５６    プリズムシート
２００      モールドフレーム
２１０      モールド底面部
２１２      パネル支持部
２２０      モールド側部
２３０      第１突出部
２４０      第２突出部
２５０      第３突出部
３００      表示パネル
３１０      第１基板
３２０      第２基板
４００      トップシャーシ
４１０      シャーシカバー部
４１２      パネル加圧部
４２０      シャーシ側部
５００      密封部材
５１０      下側密封部
５２０      上側密封部
【図１】
0005514469.tif 000002
【図２】
0005514469.tif 000003
【図３】
0005514469.tif 000004
【図４】
0005514469.tif 000005
【図５】
0005514469.tif 000006
【図６】
0005514469.tif 000007
【図７】
0005514469.tif 000008
【図８】
0005514469.tif 000009
【図９】
0005514469.tif 000010
【図１０】
0005514469.tif 000011